(57)【要約】【課題】  耐久性と安全性を確保しつつ、さまざまな刃物の形状に対応し得る構造を具備する、刃物の刃部を防護する刃物カバーを提供することを目的とする。【解決手段】  断面がほぼ環状の可撓性を有する長尺部材であって、背側に軸方向に伸びる開口部９を有するとともに、任意の曲率の弧を形成し得るよう軸方向に関する複数個所で背側から腹側に向かって軸方向にほぼ直交する方向に切込んだ切込部７を有するカバー本体２と、背側の開口部９を介して挿入し腹側の内周面に刃部１１を当接させた刃物に巻きつけてカバー本体２を刃物に固定するよう少なくとも一端部がカバー本体２に固定された固定ベルト５とを有する。【選択図】        図１
2007097694.tif 000002
【特許請求の範囲】
【請求項１】
断面がほぼ環状の可撓性を有する長尺部材であって、背側に軸方向に伸びる開口部を有するとともに、任意の曲率の弧を形成し得るよう前記軸方向に関する複数個所で前記背側から腹側に向かって前記軸方向にほぼ直交する方向に切込んだ切込部を有するカバー本体と、
前記背側の開口部を介して挿入し前記腹側の内周面に刃部を当接させた刃物に巻きつけて前記カバー本体を前記刃物に固定するよう少なくとも一端部が前記カバー本体に固定された固定ベルトとを有することを特徴とする刃物カバー。
【請求項２】
請求項１において、
凸部を凹部に嵌入させて前記カバー本体と前記固定ベルトを着脱するための係止部材であって、前記凸部又は前記凹部の何れか一方を前記固定ベルトの基端部に設け、前記カバー本体の側面の軸方向に沿って少なくとも一つ以上の前記凹部又は前記凸部の何れか一方を設けることで、前記固定ベルトと前記カバー本体が着脱可能であるように構成されたことを特徴とする刃物カバー。
【請求項３】
請求項１又は２において、
前記カバー本体の背側に、軸方向に沿って少なくとも１つ以上の突起物が設けられたことを特徴とする刃物カバー。
【請求項４】
請求項１〜３の何れかにおいて、
前記カバー本体は、配電用の電力線を防護するために用いる支線防護管を前記長尺部材として用いたことを特徴とする刃物カバー。
【請求項５】
請求項１〜４の何れかにおいて、
刃物の先端を防護する袋状の先端カバー部が前記カバー本体の一端に取り付けられ前記背側と前記腹側の方向に回動するように構成されたことを特徴とする刃物カバー。
【請求項６】
請求項１〜５の何れかにおいて、
前記固定ベルトは、面状ファスナが取り付けられて前記固定ベルトの先端部が固定されることを特徴とする刃物カバー。
【発明の詳細な説明】
【技術分野】
【０００１】
本発明は刃物カバーに関し、特に鎌のように様々な曲率の弧や長さを有する刃部を防護する場合に適用して有用なものである。
【背景技術】
【０００２】
従来、鎌を持ち運びする際には、安全性を確保するための刃部の防護手段として布製のカバーを使用している。その布製カバーの使用態様は単純に刀身を布で覆い、紐で結びつけるというものであるため、布製カバーの使用を続けると解れたり破れたりして耐久性に問題がある。また、布製カバーと鎌本体を紐で固定しているため、取付けや取外しに時間がかかるという問題も生じている。
【０００３】
そこで、刃部を覆納する部分に適当な硬度を有する材料を用いてカバー用部材を形成することで、安全性を確保した鎌カバーに関する考案が開示されている（特許文献１参照）。
【０００４】
【特許文献１】実開平５−９５２４０号公報
【発明の開示】
【発明が解決しようとする課題】
【０００５】
しかし、鎌は刃部の曲率、幅や厚みなどがそれぞれ異なるので、単に硬度を有する材料を用いてカバーを作成することで安全性を確保することができても、鎌の刃部全体を覆うような構成となっているため、鎌の形状に合わせてカバーを作成する必要が生じる。その結果、製造者にとっては刃部の形状に合わせて個別にカバーを作成することになるので製造コストの増大を招き、さらに使用者にとっては鎌の形状に合わせてカバーを選択する必要があるので利便性を欠くという問題点がある。
【０００６】
さらに、鎌の使用時にカバーを外した後に、カバーを紛失することが少なからず発生しており、カバーの紛失を防止するための手段等が考慮されたものではなかった。
【０００７】
上述の事情は、鎌のみならず他の刃物に関しても同様である。
【０００８】
本発明はこのような事情に鑑み、耐久性と安全性を確保しつつ、様々な形状の刃物に共通して使用でき、簡易な着脱を可能とする刃物カバーを提供することを目的とする。
【課題を解決するための手段】
【０００９】
上記目的を達成するための本発明の第１の態様は、断面がほぼ環状の可撓性を有する長尺部材であって、背側に軸方向に伸びる開口部を有するとともに、任意の曲率の弧を形成し得るよう前記軸方向に関する複数個所で前記背側から腹側に向かって前記軸方向にほぼ直交する方向に切込んだ切込部を有するカバー本体と、前記背側の開口部を介して挿入し前記腹側の内周面に刃部を当接させた刃物に巻きつけて前記カバー本体を前記刃物に固定するよう少なくとも一端部が前記カバー本体に固定された固定ベルトとを有することを特徴とする刃物カバーにある。
【００１０】
かかる第１の態様では、カバー本体が腹側方向に任意の曲率に曲がることで、さまざまな曲率の弧を有する刃物に対応することが可能となる。さらに刃部の峰側の部分がカバー本体に収まりきらないような幅の広い刀身であっても、刃部を防護することが可能である。すなわち曲率や幅などさまざまな種類がある刃物の刀身の形状に合わせて刃部を防護することができる。
【００１１】
本発明の第２の態様は、第１の態様において、凸部を凹部に嵌入させて前記カバー本体と前記固定ベルトを着脱するための係止部材であって、前記凸部又は前記凹部の何れか一方を前記固定ベルトの基端部に設け、前記カバー本体の側面の軸方向に沿って少なくとも一つ以上の前記凹部又は前記凸部の何れか一方を設けることで、前記固定ベルトと前記カバー本体が着脱可能であるように構成されたことを特徴とする刃物カバーにある。
【００１２】
かかる第２の態様では、固定ベルトをカバー本体に着脱するために、カバー本体に取付けられた係止部材の凸部又は凹部を自由に選択して刃物の刀身の長さに応じて適切な箇所でカバー本体を固定することができる。
【００１３】
本発明の第３の態様は、第１又は２の態様において、前記カバー本体の背側に、軸方向に沿って少なくとも１つ以上の突起物が設けられたことを特徴とする鎌カバーにある。
【００１４】
かかる第３の態様では、刃物カバーを刃部から外し柄部に取り付けて刃物を使用する際に、刃物カバーごと柄部を握った手の指が設けられた突起部の間隔に入るため、刃物の使用時に手から抜けて滑るのを防止することができる。
【００１５】
本発明の第４の態様は、第１〜３の何れかの態様において、前記カバー本体は、配電用の電力線を防護するために用いる支線防護管を前記長尺部材として用いたことを特徴とする刃物カバーにある。
【００１６】
かかる第４の態様では、支線防護管をカバー本体に使用することができる。この場合においては、支線防護管は使用済みのものでもよいため、廃材を再利用することができ、環境保全に貢献することができる。
【００１７】
本発明の第５の態様は、第１〜４の何れかの態様において、刃物の先端を防護する袋状の先端カバー部が前記カバー本体の一端に取り付けられ前記背側と前記腹側の方向に回動するように構成されたことを特徴とする刃物カバーにある。
【００１８】
かかる第５の態様では、袋状の先端カバー部を取付けることで、刃物の刀身の先端部分を覆い保護することができる。
【００１９】
本発明の第６の態様は、第１〜５の何れかの態様において、前記固定ベルトは、面状ファスナが取り付けられて前記固定ベルトの先端部が固定されることを特徴とする刃物カバーにある。
【００２０】
かかる第６の態様では、カバー本体と刃物を固定ベルトで簡易に巻きつけて固定することができる。
【発明の効果】
【００２１】
本発明によれば、カバー本体が曲がることにより、さまざまな曲率の弧を有する刃物の刃部を防護できるという効果を奏する。さらに刀身の幅が広くカバー本体に入りきらない場合でも、刃部を防護することが可能となる。
【発明を実施するための最良の形態】
【００２２】
以下、本発明の実施形態を図面を用いて説明する。なお、本実施形態の説明は例示であり、本発明は以下の説明に限定されない。
【００２３】
＜実施形態１＞
図１は本発明の実施形態１に係る刃物カバーの図である。（ａ）はその側面図、（ｂ）は（ａ）のＡ―Ａ’線断面図、（ｃ）はその平面図である。
【００２４】
図１に示すように本実施形態の刃物カバー１は、断面がほぼ環状の可撓性を有する材料から形成されたカバー本体２と、固定ベルトとして面状ファスナ５（マジックテープ（登録商標））と、刃物の刀身の先端部を保護する袋状の先端カバー３とを具備している。
カバー本体２は、刃物の刀身を格納する際の出入り口として、カバー本体２の背側の一端から反対側の一端まで軸方向に伸びる開口部９を有している。またカバー本体２の可撓性を助長するために、カバー本体２の背側から腹側に向かって軸方向にほぼ直交するよう切込部７が設けられている。さらに刃物カバー１を刃物の刃部に取付けた際に滑り止めとなるように、カバー本体２の背側には開口部９に沿って突起物８が設けられている。
【００２５】
カバー本体２の材料に例えば支線防護管を用いることで、カバー本体を好適に形成できる。ここで支線防護管とは電柱間に渡された架空電線を防護するための管であり、ポリエチレンを主体とした樹脂から形成されるものである。したがって、適度な可撓性を有し、かつ布に比べて強度があるのでカバー本体２に用いる材料に適している。また、支線防護管は使用済みの物でも刃物カバーとしての使用に十分耐えることができる。すなわち使用済み支線防護管をリサイクル品として使用することで環境保全に貢献し、材料費の面でコストを削減できるという効果を奏する。
【００２６】
カバー本体２と面状ファスナ５を着脱可能にするために、カバー本体２の外周面上に複数の雌ボタン６が取付けられ、面状ファスナ５の基端部には雄ボタン４が取付けられている。複数の雌ボタン６を取付けるのは、面状ファスナ５を選択的に任意の場所に着脱できるようにし、刃物の長さにあわせて固定位置を変えることができるようにするためである。なお、ボタンの雌雄を逆にして、カバー本体２に雄ボタン４を、面状ファスナ５の基端部に雌ボタン６を取付けてもよい。
【００２７】
先端カバー３は、カバー本体２の一端に取付けられる袋状のカバーであり、刃物の刀身の先端がカバー本体２からはみ出すのを防止するために用いられる。刃物のさまざまな曲率に対応するべくカバー本体２の背側及び腹側方向に回動するよう取付けられている。また特に図示されていないが先端カバー３の表面に紙やすりの研磨面が表出するよう紙やすり接着することで、簡易な錆落とし機能を具備することが可能となる。
【００２８】
上述の構成を有する本実施形態において、防護対象の刃物を鎌とした場合について、刃物カバー１を鎌の刃部１１を防護するための使用態様を以下に説明する。
【００２９】
図２は、本発明の実施形態１に係る刃物カバーの使用状態を示す図である。（ａ）は比較的刀身が短く、曲率は小さく、かつ幅も狭い鎌に適用した場合である。逆に（ｂ）は比較的刀身が長く、曲率は大きく、かつ幅も広い鎌に適用した場合である。
【００３０】
まず、鎌の刀身の刃部１１をカバー本体２の開口部９から入れて、内周面に当接するようにする。（ｂ）のようにカバー本体２よりも鎌の刀身が長い場合は、はみ出る刀身の先端部を先端カバー３の中に納まるようにする。
【００３１】
次に鎌の刀身の曲率に合わせてカバー本体２の曲率を調節する。（ａ）の場合においては、カバー本体２がほぼ直線状になるようする。（ｂ）の場合においては、鎌の刀身の曲率に応じて曲がった状態にして保持する。このように、カバー本体２を曲げるのと連動して切込部７が開くことにより、さまざまな曲率をもつ鎌の刀身に適用し易くなり、鎌の刀身の刃部１１を適切に保護することができる。
【００３２】
なお、切込部７を閉じ、カバー本体２を曲げずに直線状で使用することも可能であるから、一般に鎌よりも曲率が小さい鉈や鋸のような直線的な刃部をもつ刃物に対しても使用可能である。
【００３３】
次にカバー本体２に面状ファスナ５を取付ける。カバー本体２に取付けられた雌ボタン６を鎌の刀身の長さに応じて選択し、面状ファスナ５の基端部に取付けられた雄ボタン４を選択された雌ボタン６に取付ける。具体的には（ａ）の場合は刀身の根元側とカバー本体２の中央部、（ｂ）の場合はカバー本体２の両端部分にある雌ボタン６に面状ファスナ５の雄ボタン４を嵌入させ取り付ける。面状ファスナ５を取付けたあとは、カバー本体２及び鎌の峰部１２を一緒に巻きつけ、面状ファスナ５の先端部を接着させて固定する。
【００３４】
一方、鎌を使用する際には、面状ファスナ５を剥離して、カバー本体２との巻きつきを解除して、鎌を刃物カバー１から取出す。このように面状ファスナ５を接着・剥離させるだけで刃物カバー１の取り外しができるので、紐などで結んで固定するよりも取り付けが容易である。
【００３５】
上述のように、鎌の刀身全体をカバー本体２で覆うような構成を採用せず、刃部１１を防護した状態で、面状ファスナ５で刀身を固定することにより、（ｂ）のように幅が広い刀身がカバー本体２に収まりきらない場合においても、刃物カバー１は刃部１１を防護できる。さらに、面状ファスナ５を選択的に取付ける位置を変えることによって、（ａ）及び（ｂ）のように長さの異なる刀身に対応できる。
【００３６】
鎌を使用する際に外された刃物カバー１の紛失を防止するための使用態様を以下に説明をする。
【００３７】
図３は、本発明の実施形態１に係る刃物カバーを柄部に取付けた状態を示す図である。
【００３８】
刃部１１を格納したときと同様に、柄部１０をカバー本体２の開口部９から入れ、カバー本体２の内側に当接させ格納する。次に、カバー本体２の両端にある雌ボタン６を選択し、その雌ボタン６と面状ファスナ５の基端部に取付けられた雄ボタン４を嵌入して固定し、カバー本体２と柄部１０を巻きつけ、面状ファスナ５の先端部を接着させて固定する。
【００３９】
その結果、刃物カバー１と柄部１０とが一体化した状態となるため、鎌の使用時にあっても刃物カバー１が紛失しないようにすることができる。
【００４０】
また、上述のような一体化した状態で鎌を使用する場合、手でカバー本体２ごしに柄部１０を握ると突起物８が指の間に入るため滑り止めの効果を奏し、手から抜けることを防止することができる。
【産業上の利用可能性】
【００４１】
本発明の刃物カバーは、刃物を用いて作業する際に利用することができ、特に刃物を屋外等へ持ち運び、使用する場合のように、頻繁に刃物カバーを着脱する場合に利用することができる。
【図面の簡単な説明】
【００４２】
【図１】本発明の実施形態１に係る刃物カバーの図である。
【図２】本発明の実施形態１に係る刃物カバーの使用状態を示す図である。
【図３】本発明の実施形態１に係る刃物カバーを柄部に取付けた状態を示す図である。
【符号の説明】
【００４３】
１  刃物カバー
２  カバー本体
３  先端カバー
４  雄ボタン
５  面状ファスナ
６  雌ボタン
７  切込部
８  突起物
９  開口部
１０  柄部
１１  刃部
１２  峰部
【図１】
2007097694.tif 000003
【図２】
2007097694.tif 000004
【図３】
2007097694.tif 000005